【事件の表示】
　特願２００２−　　１４４６「洗濯乾燥機」拒絶査定不服審判事件〔平成１４年７月１６日出願公開、特開２００２−２００３９５〕について、次のとおり審決する。
【結　論】
　本件審判の請求は、成り立たない。
【理　由】
第１．手続の経緯
　本件の出願（以下、「本願」という。）は、平成１０年９月２４日に出願した特願平１０−２６９８３５号の一部を平成１４年１月８日に新たな特許出願としたものであって、平成１７年３月１日付けで拒絶査定され（発送日：平成１７年３月８日）、これに対して、平成１７年４月７日付けで拒絶査定不服審判が請求されると共に平成１７年４月２７日付けで明細書を対象とする手続補正書が提出されたものである。
　　
　　　　　　　
第２．平成１７年４月２７日付け手続補正書による補正却下の決定
［結論］
　平成１７年４月２７日付け手続補正書による補正を却下する。
　　
［理由］
１．本件補正発明
　平成１７年４月２７日付け手続補正書による補正（以下、「本件補正」という。）により、特許請求の範囲の請求項１は、次のとおりに補正された。　
　　
「外箱内に弾性支持された水槽と、この水槽内に回転可能に設けられ通水及び通風可能な多数の透孔を有する被洗濯物を収容する回転槽と、この回転槽内の被洗濯物に温風を供給しこれを乾燥させる乾燥装置とを備えたものにおいて、
　前記乾燥装置は、両端が前記水槽に連通する循環送風路と、前記循環送風路に設けられ前記水槽内の空気を前記循環送風路の一端部から他端部まで流通させる送風装置と、前記循環送風路に設けられ冷却水を注入することにより前記水槽内から前記循環送風路に流入した空気を冷却し該空気中の水分を凝縮して除湿する除湿用熱交換器と、前記循環送風路のうち前記除湿用熱交換器の下流側に設けられ前記除湿用熱交換器により除湿された空気を加熱温風化する加熱装置とを備えて構成され、
　前記循環送風路のうち前記加熱装置の上流側には着脱可能なリントフィルターが設けられていると共に前記循環送風路の前記リントフィルターが配置されている部分は前記水槽の上部外面であって前記外箱の上面板よりも下方に位置するように構成され、前記リントフィルターが前記循環送風路に装着されたときに、前記循環送風路と前記リントフィルターとの間を気密にシールするパッキンを備えていることを特徴とする洗濯乾燥機。」　
　　
　上記補正は、請求項１に係る発明を特定するために必要な事項である「リントフィルター」に関して「前記リントフィルターが前記循環送風路に装着されたときに、前記循環送風路と前記リントフィルターとの間を気密にシールするパッキンを備えている」なる事項を限定的に付加するものである。
　したがって、上記補正は、限定的減縮を目的とするものであり、平成１８年改正前特許法第１７条の２第４項第２号に該当する。
　　 
 　そこで、本件補正後の前記請求項１に記載された発明（以下、「本件補正発明」という。）が特許出願の際独立して特許を受けることができるものであるか否か（平成１８年改正前特許法第１７条の２第５項において準用する特許法第１２６条第５項の規定に適合するか否か）につき以下に検討する。　  　 　　　　
　　　　　
２．刊行物
（１）刊行物１
　原査定の拒絶の理由に示された実願平２−６６３２１号（実開平４−２５６８３号）のマイクロフィルム（以下、「刊行物１」という。）には、図面とともに以下の事項がその明細書に記載されている。
　　
ア．「本体ケース内に支持された水槽と、この水槽内で回転可能に支持され、洗濯物を収容するドラムと、このドラムの近傍に配設され、洗濯物乾燥用空気をドラムを介して循環させる乾燥用空気循環通路と、乾燥用空気を加熱するとともにこれを循環させる乾燥空気供給手段と、循環通路へ冷却除湿用水を供給する供給手段とを備え、
　さらに、循環通路に設けられた熱交換室と、この熱交換室に設けられ、給水手段から供給される冷却除湿用水を熱交換室へ壁状に流して熱交換室を上流側部分と下流側部分とに区画し、それによって乾燥用空気を壁状の水に接触させてから通過させる放水手段と、この放水手段を制御する放水制御手段とを具備してなるドラム式洗濯・乾燥機。」（明細書第１頁第１８行〜第１８行）
　　　　　　　　
イ．「本体ケース１１内で水槽１３の後部側に接続され、その部分から水槽１３に沿って上方へ延びた後、水槽１３の上面に沿って水槽１３の前部側まで延びた乾燥用空気循環通路１４とが形成されている。・・・（中略）・・・循環通路１４の終端は、水槽１３の前部側に設けられた吸込口１５に接続されている。」（同第６頁第２０行〜第７頁第７行）
　　
ウ．「循環通路１４には、循環する乾燥用空気の温度を検知するサーミスタ２０と、乾燥用空気を循環、加熱するための送風機２１、ヒータ２２とが配設されている。」（同第８頁第１行〜第４行）
　　　　　　　　　
　また、本体ケース内への水槽の支持が弾性的なものであること、及び、ドラムが通水及び通風可能な多数の透孔を有するものであることは、いずれも、当業者にとり自明な技術的事項である。　　
　　　　　　　　　　　　
　これらの事項及び図面の記載内容をふまえ、刊行物１には、次の発明（以下、「刊行物１記載の発明」という。）が記載されているものと認める。　　　　　
「本体ケース内に弾性支持された水槽と、この水槽内に回転可能に設けられ通水及び通風可能な多数の透孔を有する被洗濯物を収容するドラムと、このドラム内の被洗濯物に温風洗濯物乾燥用空気を供給しこれを乾燥させるものにおいて、
　両端が前記水槽に連通する乾燥用空気循環通路と、前記乾燥用空気循環通路に設けられ前記水槽内の空気を前記乾燥用空気循環通路の一端部から他端部まで流通させる送風機と、前記乾燥用空気循環通路に設けられ冷却除湿用水を注入することにより前記水槽内から前記乾燥用空気循環通路に流入した空気を冷却し該空気中の水分を凝縮して除湿する熱交換室と、前記乾燥用空気循環通路のうち前記熱交換室の下流側に設けられ前記熱交換室により除湿された空気を加熱温風化するヒータとを備えたドラム式洗濯・乾燥機。」　　　　　　　　　　　　　　　
（２）刊行物２
　原査定の拒絶の理由に示された特開平５−２００１８５号公報（以下、「刊行物２」という。）には、図面とともに以下の事項が記載されている。
　　
エ．「【請求項１】外枠フレームと、この外枠フレーム内に防振支持される本体部と、この本体部を構成する外槽と、この外槽内に回転自在に支承され、底部に撹拌翼を有する内槽と、本体部を垂直姿勢から横姿勢に傾斜させる回動装置と、加熱部及び送風部からなる乾燥ユニットを備え、洗濯から乾燥まで通じて運転できる洗濯乾燥機において、乾燥ユニットを前記外枠フレーム上に固定し、乾燥ユニットと本体部との熱風出入口間をフレキシブルダクトで連結して、温風の循環風路を形成し、前記外槽以外の、外部より着脱可能な位置にリントフィルターを設けたことを特徴とする洗濯乾燥機。
【請求項２】請求項１記載のものにおいて、前記着脱可能なリントフィルターが上部カバーの蓋の下に有り、蓋を開けて、乾燥機構の駆動部が停止してから、リントフィルターのメンテナンスができることを特徴とする洗濯乾燥機。
【請求項３】請求項１記載のものにおいて、上部カバーの蓋の横に有り、蓋の開閉にかかわらず、直接着脱、メンテナンスできるリントフィルターを設けたことを特徴とする洗濯乾燥機。
【請求項４】請求項１〜３記載のものそれぞれにおいて、着脱自在なリントフィルターが前記上部カバーの中央より左側に位置することを特徴とする洗濯乾燥機。」（特許請求の範囲）
　　
オ．「【産業上の利用分野】本発明は、一つの槽で洗濯から乾燥までを行う洗濯乾燥機に係り、特にリントフルターの取付位置とその操作性に関する。
【従来の技術】一つの槽で洗濯から乾燥までを行う洗濯乾燥機が先に提案されている。
【発明が解決しようとする課題】しかしながら、従来提案されている洗濯乾燥機にあっては、従来乾燥時に糸屑等を収集していたリントフィルターが、乾燥と同じ槽で洗濯を行うため、従来の乾燥機のように回転ドラムの底面に設置されると、リントフィルターが濡れ、乾燥効率を低下させるばかりでなく、洗濯時に乾燥で収集した糸屑等が衣類に再付着する、衣類を取り出さないとリントフィルターをメンテナンスできない、回転ドラムの奥にあるために取出しや装着が不便等の問題点があった。
　本発明の目的は、前記不具合点、つまりリントフィルターが濡れ、乾燥効率を低下させること、洗濯時に乾燥で収集した糸屑等が衣類に再付着すること、衣類を取り出さないとリントフィルターをメンテナンスできないということや、取出しや装着が不便であるということを解決するために、着脱自在なリントフィルターを適切な位置に設置することにある。」（段落【０００１】〜【０００４】）
　　
カ．「【作用】本発明は以上のように、乾燥ユニットを外枠上部に設置し、外槽と乾燥ユニットをフレキシブルダクトでつなぎ、前記外槽以外の、外部より着脱可能な位置にリントフィルターを設けたことにより、リントフィルターが濡れ、乾燥効率を低下させること、洗濯時に乾燥で収集した糸屑等が衣類に再付着することを防止する。
　また、そのリントフィルターは、外槽以外の、外部より着脱可能な位置に設置されることで、衣類を取り出さずにリントフィルターをメンテナンスすることができ、取外しや装着がいっそう便利となる。」（段落【０００７】〜【０００８】）
　　
キ．「脱水が終了後、回動モータ２６を駆動し、回動クランク２７、回動レバー３０を介して本体部５全体を回動し、図３に示すようにほぼ水平姿勢になるまで倒す。この時、フレキシブルダクト４５と４８はＵ字状に曲がっていた部分が伸ばされる形に変形し、軽快に抵抗なく追従する。ここで、本体部５は乾燥用モータ１４とクラッチ機構１５の働きで、内槽１１と撹拌翼７を毎分５０〜７０回の速度でゆっくりと回転しながら、ファンモータ３３を回転してファン３５をまわして、本体部５内の湿った温風を温風出口４１、ダクト４３、フレキシブルダクト４５を経て、ファンケーシング吸込口４４に吸い込み、リントフィルター４０ａにてリントを除去したのちファン３５に吸い込む。この途中、外槽１２の底部の温風出口４１を通り、ノズル１１から噴霧状に放出される水により急激に冷却、凝縮され、除湿される。ノズル４２から噴霧状に放出される水と前記凝縮された水は、外槽下部に設けられた排水弁装置１８及び排水ホース１９を経て機外へ排出されるが、一部は細かな水滴となって、循環する風とともにダクト４３及びフレキシブルダクト４５へ達する。フレキシブルダクト４５を通った水滴と循環風は、ファンケーシング吸込口４４の途中流路とは垂直な分離壁４９に曲がり切れずに衝突、風のみが流路に従い流れる。一方水滴は、分離壁４９付着、分離壁４９を伝わり下方に落ち排水口５４及び排水管５５から排水され、気水分離が行われる。また、必要に応じて吸込口４４の直前に分離壁５１を設け、ここでも気水分離を行う。このことにより循環風の風だけがファン３５の直前にあるリントフィルター４０ａや湿度センサー５０及びファン３５等に達する。このため、リントフィルター４０ａは濡れて流路の抵抗とならず乾燥効率阻害することはなく、また湿度センサー５０にも水滴が付かずに正常に動作する。
　ファン３５により高圧化された温風はヒータケース３９に流入し、ＰＴＣヒータ３８により加熱され相対湿度の低い乾燥された温風となってヒータケース３９の温風出口４７、フレキシブルダクト４８を経て外槽１２の上蓋１６の温風入口４６に至り、外槽１２内に流入する。」（段落【００１９】〜【００２０】）　　
　　　　　　　　　　　　　
ク．「【発明の効果】本発明は、以上のように構成されているので、次のような効果を得ることができる。
（１）乾燥ユニットを外枠上部に設置し、外槽と乾燥ユニットをフレキシブルダクトでつなぎ、前記外槽以外の、外部より着脱可能な位置にリントフィルターを設けたことにより、リントフィルターが濡れないので、効率的な乾燥を行うことができ、かつ洗濯時に乾燥で収集した糸屑等が衣類に再付着することなく、乾燥が清潔に仕上がる。
（２）リントフィルターの装着が、外槽以外の、外部より可能となるので、衣類を取り出さずにリントフィルターをメンテナンスすることができ、取外しや装着がいっそう便利となる。」（段落【００２１】〜【００２３】）　　　　　　　　　　　　　　　　　　　　　
（３）刊行物３　
　原査定の拒絶の理由に示された特開平６−９８９８８号公報（以下、「刊行物３」という。）には、図面とともに以下の事項が記載されている。
　　
ケ．「【実施例】図１〜図３を参照して、この実施例のドラム式洗濯乾燥機１０は、略筐体状のフレーム１２を含み、フレーム１２の上面中央部には、上蓋１４によって開閉される開口１６が形成される。フレーム１２の上面周縁部には、洗濯プログラムの選択キー等が配列された操作パネル１８や電源スイッチ２０等が配置され、また、フレーム１２の側面には、後述する可動式フィルタ２２を取り出すためのフィルタ取出口２４が形成される。フィルタ取出口２４には、蓋２６が取り付けられる。」（段落【０００８】）
　　
コ．「第１ユニット５６は、風路５４と接続される第１縦辺部６０および第２ユニット５８と接続されるかつ前後方向長さに対して十分に長い左右方向長さを有する第２縦辺部６２を有する略Ｕ形状のハウジング６４を含み、第１縦辺部６０の内部には、ブロワ６６が設けられる。第２縦辺部６２の前面には、可動式フィルタ２２および固定式フィルタ６８を出し入れするための開口７０が形成される。また、第２縦辺部６２の左右内側面には、図５からよくわかるように、開口７０から挿入された可動式フィルタ２２および固定式フィルタ６８を案内しかつ支持するための第１溝７２および第２溝７４が前後方向に延びて形成され、第２溝７４の下方には、半導体（ＰＴＣ）ヒータ（以下、単に「ヒータ」という）７６を支持するための第３溝７８が前後方向に延びて形成される。・・・（中略）・・・。
　可動式フィルタ２２は、図６からよくわかるように、空気を通す窓８２を有するフレーム８４を含み、窓８２には、フィルタ材８６が取り付けられる。また、フレーム８４の前部には、開口７０を開閉するための蓋８８が形成され、蓋８８の外周縁には、パッキン９０が取り付けられる。・・・（中略）・・・。
　固定式フィルタ６８は、図６からよくわかるように、空気を通す窓１０２を有するフレーム１０４を含み、窓１０２には、可動式フィルタ２２で用いたフィルタ材８６よりも目の細かいフィルタ材１０６が取り付けられる。」（段落【００１０】〜【００１２】）　　
　　　　　　　　　
サ．「乾燥時には、モータ１３６によってドラム４２が約５５r.p.m で回転されるとともに、第１ユニット５６内に収納されたブロワ６６（図３）によって温風が循環される。すなわち、ブロワ６６から吹き出された空気が、可動式フィルタ２２→固定式フィルタ６８→ヒータ７６→第２ユニット５８→吹出口４８→ドラム４２内→孔１３０→外槽３２内→吸入口５２→風路５４→ブロワ６６→…と循環される。」（段落【００１６】）　　　　　　　　　　　　　　　　　　　　　　　　
３．対比
　本件補正発明と刊行物１記載の発明を対比する。
　刊行物１記載の発明における「本体ケース」は、本件補正発明における「外箱」に相当する。以下、同様に、「ドラム」は「回転槽」に、「乾燥用空気循環通路」は「循環送風路」に、「送風機」は「送風装置」に、「冷却除湿用水」は「冷却水」に、「熱交換室」は「除湿用熱交換器」に、「ヒータ」は「加熱装置」に、「ドラム式洗濯・乾燥機」は「洗濯乾燥機」に、それぞれ相当する。
　また、刊行物１記載の発明も、循環送風路（乾燥用空気循環通路）、送風装置（送風機）、除湿用熱交換器（熱交換室）及び加熱装置（ヒータ）を備えており、これらにより、本件補正発明で言う「乾燥装置」が構成されていると理解できる。
　そうしてみると、本件補正発明と刊行物１記載の発明の一致点及び相違点は、次のとおりである。　
　　
［一致点］
　「外箱内に弾性支持された水槽と、この水槽内に回転可能に設けられ通水及び通風可能な多数の透孔を有する被洗濯物を収容する回転槽と、この回転槽内の被洗濯物に温風を供給しこれを乾燥させる乾燥装置とを備えたものにおいて、
　前記乾燥装置は、両端が前記水槽に連通する循環送風路と、前記循環送風路に設けられ前記水槽内の空気を前記循環送風路の一端部から他端部まで流通させる送風装置と、前記循環送風路に設けられ冷却水を注入することにより前記水槽内から前記循環送風路に流入した空気を冷却し該空気中の水分を凝縮して除湿する除湿用熱交換器と、前記循環送風路のうち前記除湿用熱交換器の下流側に設けられ前記除湿用熱交換器により除湿された空気を加熱温風化する加熱装置とを備えて構成され洗濯乾燥機。」
　　
［相違点］
　本件補正発明では、「循環送風路のうち前記加熱装置の上流側には着脱可能なリントフィルターが設けられていると共に前記循環送風路の前記リントフィルターが配置されている部分は前記水槽の上部外面であって前記外箱の上面板よりも下方に位置するように構成され、前記リントフィルターが前記循環送風路に装着されたときに、前記循環送風路と前記リントフィルターとの間を気密にシールするパッキンを備えている」のに対して、刊行物１記載の発明ではリントフィルターについて明らかでない点。
　　
４．当審の判断
　上記相違点について検討する。
　　
（１）リントフィルターを設けること自体について
　刊行物２，３には、洗濯乾燥機において、乾燥のための温風の送風路の加熱装置の上流側に着脱可能なリントフィルターを配置することが記載されているといえる。
　刊行物１記載の発明において、循環送風路の加熱装置の上流側に着脱可能なリントフィルターを設けることは、かかる刊行物２、３に記載された技術的事項を考慮すれば、当業者が通常の創作能力を発揮してなし得たことにすぎない。　　
　　　　　　　　　
（２）リントフィルターの配置位置について
　刊行物２には、着脱可能なリントフィルターを上部カバーの蓋の下で外槽以外の外部より着脱可能な位置に設けることも記載されている。かかる刊行物２に記載された技術的事項は、本願発明でリントフィルターが外箱の上面板よりも下方に位置するようにされていることと一致する。
　また、洗濯乾燥機におけるリントフィルターの配置位置として、水槽の上部外面を選択することも、当業者が適宜採用し得た技術的事項である。（ちなみに、そのような例として、特開昭６１−２４０９９９号公報、特開昭６３−２８８１９４号公報に記載されたものを挙げることができる。）
　そうしてみると、刊行物１記載の発明においてリントフィルターを設けるに当たり、その配置位置として、水槽の上部外面であって外箱の上面板よりも下方を選択することも、当業者が通常の創作能力を発揮してなし得た域を超えることではない。　　
　　　　　　　　　　
（３）パッキンを設けることについて
　刊行物３には、可動式フィルタ２２を風路５４に対して装着するに当たり、パッキン９０を用いることも記載されており（摘記事項「コ．」参照）、刊行物１記載の発明においてリントフィルターを設けるに当たり、併せてパッキンも備えさせることも、当業者が通常の創作能力を発揮してなし得た域を超えることではない。　　　
　　
（４）以上からすると、上記相違点に係る本件補正発明を特定するために必要な事項は、刊行物１に記載された発明及び刊行物２，３に記載された技術的事項に基づいて、当業者が容易に採用し得たものである。
　しかも、本件補正発明を特定するために必要な事項により、刊行物１記載の発明及び刊行物２，３に記載された技術的事項から予期される以上の格別顕著な効果が奏されるということもできない。
　　
　したがって、本件補正発明は、刊行物１記載の発明及び刊行物２，３に記載された技術的事項に基づいて、当業者が容易に発明をすることができたものであるから、特許法第２９条第２項の規定により特許出願の際独立して特許を受けることができないものである。
　 　
５．むすび 
 　以上をふまえると、本件補正は、平成１８年改正前特許法第１７条の２第５項において準用する特許法第１２６条第５項の規定に違反するので、平成１８年改正前特許法第１５９条第１項の規定において読み替えて準用する同法第５３条第１項の規定により却下すべきものである。 
　　
　　　　　　　　　　
第３．本願発明について
１．本願発明
　平成１７年４月２７日付け手続補正書による補正は、上記のとおり却下されたので、本願の請求項１〜５に係る発明は、平成１５年１２月１９日付け手続補正書により補正された明細書及び図面の記載からみて、特許請求の範囲の請求項１〜５に記載された事項により特定されるとおりのものと認められるところ、その請求項１に係る発明（以下、「本願発明」という。）は、次のとおりである。
　　
 「外箱内に弾性支持された水槽と、この水槽内に回転可能に設けられ通水及び通風可能な多数の透孔を有する被洗濯物を収容する回転槽と、この回転槽内の被洗濯物に温風を供給しこれを乾燥させる乾燥装置とを備えたものにおいて、
　前記乾燥装置は、両端が前記水槽に連通する循環送風路と、前記循環送風路に設けられ前記水槽内の空気を前記循環送風路の一端部から他端部まで流通させる送風装置と、前記循環送風路に設けられ冷却水を注入することにより前記水槽内から前記循環送風路に流入した空気を冷却し該空気中の水分を凝縮して除湿する除湿用熱交換器と、前記循環送風路のうち前記除湿用熱交換器の下流側に設けられ前記除湿用熱交換器により除湿された空気を加熱温風化する加熱装置とを備えて構成され、
　前記循環送風路のうち前記加熱装置の上流側には着脱可能なリントフィルターが設けられていると共に前記循環送風路の前記リントフィルターが配置されている部分は前記水槽の上部外面であって前記外箱の上面板よりも下方に位置していることを特徴とする洗濯乾燥機。」
 　 
２．刊行物 
　刊行物１〜３に記載された事項及び刊行物１記載の発明は、既に前記「第２．２．」で述べたとおりのものである。
 
３．対比・判断
　本願発明は、前記「第２．」で検討した本件補正発明からその発明を特定するために必要な事項たる「リントフィルター」に関して「前記リントフィルターが前記循環送風路に装着されたときに、前記循環送風路と前記リントフィルターとの間を気密にシールするパッキンを備えている」なる事項を省いたものである。
　そうすると、本願発明を特定するために必要な事項を全て含み、さらに他の事項を発明を特定するために必要な事項として付加したものに相当する本件補正発明が、前記「第２．」に記載したとおり、刊行物１記載の発明及び刊行物２，３に記載された技術的事項に基づいて当業者が容易に発明をすることができたものであるから、本願発明も、同様の理由により、刊行物１記載の発明及び刊行物２，３に記載された技術的事項に基づいて当業者が容易に発明をすることができたものといえる。　 
 　
４．むすび 
 　以上のとおり、本願発明は、刊行物１記載の発明及び刊行物２，３に記載された技術的事項に基づいて当業者が容易に発明をすることができたものであるから、特許法第２９条第２項の規定により特許を受けることができない。 
　　
　よって、 結論のとおり審決する。